(57)【特許請求の範囲】
【請求項１】
長手方向に沿って相対して立設した一対のＬ形部片を備え、しかも、コンクリートスラブ上に高さ調節自在に並設する根太材と、この根太材の前記Ｌ形案内部片で構成する係合溝に部片において摺嵌し、前記長手方向と直交する方向に結合部片を設けた、所要数の結合駒および前記結合部片を係合する組付け溝を長手方向に沿う側面に設け、しかも、前記根太材上に載置する木製床材とで成る、木製床材の敷設装置。
【発明の詳細な説明】
【０００１】
【産業上の利用分野】
本発明は、コンクリートスラブ上に木製床材を敷設するために用いる木製床材の敷設装置に関するものである。
【０００２】
【従来の技術】
例えば、特開平１１−１００９７８号公報に記載の通り、スラブ上に並設した根太材に床材を載置し、床材と根太材を結合金具を用いて結合するようにした構造のものがある。
【０００３】
この従来例は、根太材の長手方向に沿う側面に溝を設け、該溝に固定部片をハンマー等で打ち込んで結合金具を根太材に固定し、根太材より上方に配置した結合金具の結合部片に、床材の長手方向に沿う側面に形成した溝を嵌合するようにして床材を順次敷設するようにしたものである。
【０００４】
【発明が解決しようとする課題】
前記従来例は、根太材を比較的硬質な木材で構成し、該木材の性質を利用して結合金具を固定部片において打ち込み固定するようにしたものであるため、打込み固定操作するための空間域を必要とし、従って、壁面に近接した領域において前記の操作が行えないため適用上の制約がある。
【０００５】
また、いわば直線上の溝内に結合金具（の固定部片）を、木製床材の敷設数に応じ、かつ、床材の幅に対応する間隔を置いて打込まねばならない構造になっているため、根太材に前記溝に沿う亀裂が生じるおそれがあり（亀裂の発生によって耐久性に問題が生じることになる）、この亀裂を回避するためには根太材を構成する木材を相応に吟味しなければならず、また、ある程度の幅を備えた床材を用いなければならない。
【０００６】
本発明は斯様な従来例の欠点に着目し、使い勝手の良好な敷設装置を提供することを目的として創案したものである。
【０００７】
【課題を解決するための手段】
長手方向に沿って相対して立設した一対のＬ形部片を備え、しかも、コンクリートスラブ上に高さ調節自在に並設する根太材と、この根太材の前記Ｌ形案内部片で構成する係合溝に部片において摺嵌し、前記長手方向と直交する方向に結合部片を設けた、所要数の結合駒および前記結合部片を係合する組付け溝を長手方向に沿う側面に設け、しかも、前記根太材上に載置する木製床材とで成るものである。
【０００８】
【実施例】
図面は本発明に係る木製床材の敷設装置の一実施例を示し、図１は一部欠截正面図、図２は図１のａ−ａ線拡大断面図、図３は結合駒の正面図、図４は結合駒の側面図である。
【０００９】
本発明は、アルミ押出し形材より成る根太材１をコンクリートスラブｂ上に並設し、該根太材１に摺嵌した結合駒２を用いて根太材１上に載置した木製の床材３を根太材１に結合して敷設するようにしたもので、根太材１は断面方形状の中空主体４の上下部片４ａ，４ｂのそれぞれに、中空主体４の長手方向に沿って相対する上下それぞれ一対のＬ形部片５，５、６，６を突設して構成し、上Ｌ形部片５，５と前記上部片４ａとで構成する上側の係合溝７，７に前記結合駒２を部片８，８において摺嵌して組付け、下Ｌ形部片６，６と前記下部片４ｂとで構成する下側の係合溝９にはナット材１０を係合してある。
【００１０】
ナット材１０はほぼ中央に螺子孔１１を設けた方形金属板で成り、両端を前記上側の係合溝９の奥端に位置させるようにして前記の通り係合溝９に係合したもので、方形な形状に構成することにより、前記螺子孔１１を中心とする回転方向に外力が負荷しても係合溝９の奥壁に衝接して回転が規制されるようになっている。
【００１１】
ナット材１０の螺子孔１１には、ナット材１０の下側から受支ボルト１２を螺合し、該ボルト１２の先端をナット材１０と重なり合う下部片４ｂに設けた透孔１３を通じて前記中空主体４内に配し、ワッシャー１４を介して締付けナット１５を螺合する。
【００１２】
受支ボルト１２は、中空主体４内に配した先端部に工具（ドライバー）係止溝１６を備え、該係止溝１６に、中空主体４の前記上部片４ａに形成した窓孔１７を通じて工具先端を係止してボルト１２を回転させると、受支ボルト１２には根太材１によって回転を規制されたナット材１０が螺合してあるので、ナット材１０は係合溝９部において組付け関係にある根太材１を伴って縦動し、この結果、根太材１の上下調節操作が行われることになり、前記窓孔１７を通じて前記締付けナット１５をワッシャー１４を介して前記下部片４ｂに締め付けることにより根太材１の当該調節高さが維持される。
【００１３】
前記結合駒２は、前記根太材１の上Ｌ形部片５，５の先端間の間隙幅より下部１８ｂの板幅を狭くし、上部１８ａの板幅を広くしたほぼ平板状の縦部片１８の上端に、前記上部１８ａの板幅と同幅の上板を載置して前記縦部片１８に対して翼部片状にした左右一対の結合部片１９，１９を連接し、主体部片１８の下端には前記結合部片１９，１９と相対するようにして下板を連設し、該下板の前記縦部片１８の上部１８ａの直下に位置する部分を前記部片８として構成し、結合部片１９を前記床材３の長手方向に沿う側面に設けた組付け溝２０に係合するようにし、部片８を結合駒２に設けた上側の係合溝７に前記の通り摺嵌するようにしたものである。
【００１４】
なお、図示２１は、結合駒２の縦部片１８の上部１８ａの下端に設けた厚肉部で、この厚肉部２１は床材３，３間に介在してスペーサとして機能する。
【００１５】
しかして、根太材１の適所に窓孔１７および透孔１３を互いに一致させて形成しておき、係合溝９に摺嵌するようにしてナット材１０を当該窓孔１７等の位置に配して螺子孔１１に受支ボルト１２を螺合し、該受支ボルト１２にワッシャー１４および締付けナット１５を組付けて、係止溝１６を利用してボルト１２を回転させると、ナット材１０は根太材１を伴って縦動し、この結果、根太材１は所要の高さ位置に設定され、締付けナット１５を締め付けることにより当該設定位置は維持される。
【００１６】
このようにしてコンクリートスラブｂ上に所要位置に根太材１を配して並設し、各根太材１には上側の係合溝７に部片８を摺嵌するようにして所要数の結合駒２を組付け、該結合駒２の結合部片１９に組付け溝２０を係合するようにして根太材１上に床材１を載置し、順次組付け、敷設するのである。
【００１７】
【発明の効果】
本発明は前記の通り、結合駒は根太材に摺嵌組付ける構成を採るから結合駒を根太材に予め組付けておくことにより、壁面近傍においても支障なく適用することができ、従って適用上（場所的な）の制約を受けることがない。
【００１８】
もとより、敷設作業時に、各部材に損傷を与えることなく、各部材を互いに組付けて床材の敷設作業を行えるから、常に設計通りの床装置を得られる。
【図面の簡単な説明】
【図１】一部欠截正面図。
【図２】図１のａ−ａ線拡大断面図。
【図３】結合駒の正面図。
【図４】結合駒の側面図。
【符号の説明】
１      根太材
２      結合駒
３      床材
５      Ｌ形部片
７      係合溝
８      部片
１９    結合部片
２０    組付け溝
【図１】
0003645477.tif 000002
【図２】
0003645477.tif 000003
【図３】
0003645477.tif 000004
【図４】
0003645477.tif 000005